(57)【要約】【課題】フィルタ上のごみを自動的に清掃するフィルタ清掃機能を有し、かつファンの翼への塵埃の堆積を防いだ空気調和機を提供する。【解決手段】熱交換器（図示せず）の上流側に配されたフィルタ（図示せず）で捕集された塵埃を吸い込みノズル（図示せず）を介して吸引する吸引排気装置６を備え、吸引排気装置６を、クロスフローファン１２を回転するモータ１１と、クロスフローファン１２を覆うと共に吸い込み口１８を有する吸い込みケーシング部１０と吹き出し口１５を有するファンケーシング９とで形成し、吸い込み口１８を吸い込みノズルと連通させ、吹き出し口１５と室外とを排気ダクト８で連通させたもので、フィルタ上の塵埃が自動的に除去され室外に排出されるので、メンテナンスが容易で、又、クロスフローファン１２のセルフクリーニング機能により、翼１２ａに塵埃が堆積せず、吸引性能が低下することがない。【選択図】図３
2007101107.tif 000002
【特許請求の範囲】
【請求項１】
熱交換器と、前記熱交換器の上流側に配され吸引される空気中の塵埃を捕集するフィルタと、前記フィルタに付着した塵埃を吸引する塵埃除去手段と、前記塵埃除去手段を通して前記塵埃を吸引すると共にその塵埃を外部に排出する吸引排気装置とを備え、前記吸引排気装置を、クロスフローファンと、前記クロスフローファンを回転駆動するモータと、前記クロスフローファンを覆うと共に吸い込み口と吹き出し口を有するケーシングとで形成し、前記吸い込み口を吸い込みダクトを通じて前記塵埃除去手段と繋ぎ、前記吹き出し口と室外とを排気ダクトで連通させたことを特徴とする空気調和機。
【請求項２】
塵埃除去手段を、フィルタの風上側に移動可能に配された吸い込みノズルで形成した請求項１に記載の空気調和機。
【請求項３】
塵埃除去手段より下流側でかつ、吸引排気装置のクロスフローファンより上流側に室内空気を吸引する開口部を設け、塵埃吸引排出時は、前記開口部を閉じ、室内空気の換気時は、前記開口部を開くようにしたことを特徴とする請求項１又は２に記載の空気調和機。
【請求項４】
ケーシングを、吹き出し口を有するファンケーシング部と、開口部および吸い込み口を有する吸い込みケーシング部で形成し、前記ファンケーシング部と前記吸い込みケーシング部を連絡口を介して連通させたことを特徴とする請求項３に記載の空気調和機。
【発明の詳細な説明】
【技術分野】
【０００１】
本発明は、空気調和機に関するもので、より詳細には、フィルタ上の塵埃を自動的に清掃するフィルタ清掃機能を有する空気調和機に関するものである。
【背景技術】
【０００２】
従来のこの種の空気調和機は、熱交換器と、その上流側に配され吸引される空気中に含まれる塵埃を捕集するフィルタと、前記フィルタの風上側に移動可能に配された吸い込みノズルと、前記吸い込みノズルに連通し塵埃を吸引・排気する吸引排気装置とを備えている。この吸引排気装置は、図５に示すように、モータ（図示せず）を内蔵したシロッコファン２４と前記シロッコファン２４を囲むケーシング２５とから形成され、前記ケーシング２５の吸い込み口（図示せず）を、前記吸い込みノズル（図示せず）に連通する吸い込みダクト（図示せず）と繋ぎ、前記ケーシング２５の吹き出し口２５ａを室外へ排気する排気ダクト２６に連通させて、フィルタから吸引された塵埃を室外に排出できるようにしている（例えば、特許文献１参照）。
【特許文献１】特開２００４−３５３９６６号公報
【発明の開示】
【発明が解決しようとする課題】
【０００３】
しかしながら、前記従来の空気調和機の構成では、フィルタから除去された塵埃は、シロッコファン２４に直接吸引される。たとえば、床面清掃用の電気掃除機などにおいては、電動送風機のファンの直前に、紙袋などからなる各種塵埃除去装置があり、たまった塵埃をユーザーが捨てるのであるが、空気調和機の場合、フィルタの自動清掃を目的としたものであるため、電気掃除機に使用されるような塵埃除去装置を設ければ、本来の目的を果たせないことになる。
【０００４】
そしてシロッコファン２４に直接塵埃が流入すると、シロッコファン２４の翼２４ａの前縁に塵埃が堆積し、性能を低下させたり、最終的には翼２４ａ間が目詰まりして、塵埃の除去ができなくなる恐れがある。また、翼２４ａの枚数を減らしたり、翼２４ａの形状を塵埃が堆積しにくい形状に設計することも、シロッコファン２４の性能低下につながるとう課題があった。
【０００５】
本発明は、前記従来の課題を解決するもので、フィルタ上の塵埃を自動的に清掃するフィルタ清掃機能を有すると共に、その吸引排気装置のファンの翼への塵埃の堆積を防いだ空気調和機を提供することを目的とする。
【課題を解決するための手段】
【０００６】
前記従来の課題を解決するために、本発明の空気調和機は、熱交換器と、前記熱交換器の上流側に配され吸引される空気中の塵埃を捕集するフィルタと、前記フィルタに付着した塵埃を吸引する塵埃除去手段と、前記塵埃除去手段を通して前記塵埃を吸引すると共にその塵埃を外部に排出する吸引排気装置とを備え、前記吸引排気装置を、クロスフローファンと、前記クロスフローファンを回転駆動するモータと、前記クロスフローファンを覆うと共に吸い込み口と吹き出し口を有するケーシングとで形成し、前記吸い込み口を吸い込みダクトを通じて前記塵埃除去手段と繋ぎ、前記吹き出し口と室外とを排気ダクトで連通させたもので、フィルタに付着した塵埃が自動的に除去されると共に室外に排出されるので、フィルタのメンテナンスが極めて容易で、又、クロスフローファンは流れが吸い込み時と、吐出時の２度翼列を通過し、吸い込み時の翼前縁は、吐出時は後縁になるという性質があり、吸い込み時に翼前縁についた塵埃は、吐出時にはがれやすいという、セルフ
クリーニング機能を有しているので、クロスフローファンの翼に塵埃が堆積せず、クロスフローファンの吸引性能が低下することなく長期に渡って安心して使用できる空気調和機を提供することができる。
【発明の効果】
【０００７】
本発明の空気調和機は、吸引排気装置のクロスフローファンの翼に塵埃が堆積することが無いので、クロスフローファンの吸引性能が低下することなく長期に渡って安心して使用することができる。
【発明を実施するための最良の形態】
【０００８】
第１の発明は、熱交換器と、前記熱交換器の上流側に配され吸引される空気中の塵埃を捕集するフィルタと、前記フィルタに付着した塵埃を吸引する塵埃除去手段と、前記塵埃除去手段を通して前記塵埃を吸引すると共にその塵埃を外部に排出する吸引排気装置とを備え、前記吸引排気装置を、クロスフローファンと、前記クロスフローファンを回転駆動するモータと、前記クロスフローファンを覆うと共に吸い込み口と吹き出し口を有するケーシングとで形成し、前記吸い込み口を吸い込みダクトを通じて前記塵埃除去手段と繋ぎ、前記吹き出し口と室外とを排気ダクトで連通させたもので、フィルタに付着した塵埃が自動的に除去されると共に室外に排出されるので、フィルタのメンテナンスが極めて容易で、又、クロスフローファンは流れが吸い込み時と、吐出時の２度翼列を通過し、吸い込み時の翼前縁は、吐出時は後縁になるという性質があり、吸い込み時に翼前縁についた塵埃は、吐出時にはがれやすいという、セルフクリーニング機能を有しているので、クロスフローファンの翼に塵埃が堆積せず、クロスフローファンの吸引性能が低下することなく長期に渡って安心して使用できる空気調和機を提供することができる。
【０００９】
第２の発明は、特に、第１の発明の塵埃除去手段を、フィルタの風上側に移動可能に配された吸い込みノズルで形成したもので、少ない吸引力でフィルタ全域の塵埃の除去ができるので、吸引排気装置による消費電力が少なくて済み、省電力化が図れる。
【００１０】
第３の発明は、特に、第１又は第２の発明の塵埃除去手段より下流側でかつ、吸引排気装置のクロスフローファンより上流側に室内空気を吸引する開口部を設け、塵埃吸引排出時は、前記開口部を閉じ、室内空気の換気時は、前記開口部を開くようにしたもので、開口部を閉じることにより、フィルタ上の塵埃の吸引と室外への排出が確実に行われると共に、開口部を開ける事で、他の換気装置などを用いることなく、室内の空気の換気を行うことができ、極めて使用勝手の良い空気調和機を提供することができる。
【００１１】
第４の発明は、特に、第３の発明のケーシングを、吹き出し口を有するファンケーシング部と、開口部および吸い込み口を有する吸い込みケーシング部で形成し、前記ファンケーシング部と前記吸い込みケーシング部を連絡口を介して連通させたもので、吸引排気装置を小型化できるようになり、フィルタの自動清掃機能を付加するために空気調和機が大型化するのを防止できる。
【００１２】
以下、本発明の実施の形態について、図面を参照しながら説明する。なお、この実施の形態によって本発明が限定されるものではない。
【００１３】
（実施の形態１）
図１は、本発明の実施の形態１における空気調和機の室内機の断面図、図２は、同空気調和機に取り付けられたフィルタの全体斜視図、図３は、同空気調和機に搭載された吸引排気装置の内部構成を示す斜視図、図４は、同吸引排気装置のクロスフローファンの流れ説明図である。
【００１４】
図１〜４において、空気調和機の室内機１の内部には、熱交換器２と、熱交換器２に空気を取り入れるための本体送風ファン３と、熱交換器２に流入する塵埃を捕集するフィルタ４と、フィルタ４の風上側に配されると共に、左右方向に移動しながらフィルタ４に付着した塵埃を吸引する吸い込みノズル５と、室内機１の側面に配され、吸い込みノズル５に連通すると共に塵埃を吸引し室外に排気する吸引排気装置６が設けられている。
【００１５】
吸い込みノズル５のフィルタ４に面する側には吸引口４ａが設けられている。また、吸い込みノズル５と吸引排気装置６は吸い込みダクト７で繋がれ、吸引排気装置６の排気側は排気ダクト８を介して屋外と連通している。吸引排気装置６は、ファンケーシング部９と吸い込みケーシング部１０から成り、ファンケーシング部９はモータ１１に取り付けられたクロスフローファン１２とそれを囲むスタビライザ１３、リアケーシング１４とから形成されている。
【００１６】
さらに、ファンケーシング部９の最下流部の吹き出し口１５は、排気ダクト８につながる。吸い込みケーシング部１０は、ダンパ機構１６を設けた開口部１７と、吸い込みダクト７につながる吸い込み口１８を有する。また、ファンケーシング部９と吸い込みケーシング部１０の間は、連絡口１９でつながっている。
【００１７】
上記のように構成された空気調和機の動作、作用について説明する。
【００１８】
吸引排気装置６が運転すると、フィルタ４上で捕捉された塵埃は、フィルタ４の上流側にある吸い込みノズル５のフィルタ４側に面して開いた吸引口５ａを通って、吸い込みノズル５内に吸い込まれ、以後、吸い込みダクト７を通って、吸引排気装置６の吸い込み口１８から吸引排気装置６に吸い込まれる。その後、塵埃は吸引排気装置６内の連絡口１９を通って、ファンケーシング部９に流入し、クロスフローファン１２を通過して、吹き出し口１５から排気ダクト８を通って屋外に排出される。
【００１９】
なお、吸い込みノズル５は、フィルタ４に沿って、左右に移動できるように構成され、フィルタ４の全面を清掃することができる。ダンパ機構１６を設けた開口部１７は、上記の塵埃吸引排出時は閉じており、上記のような塵埃の流れ経路を形成する。
【００２０】
一方、換気時には、ダンパ機構１６により開口部１７が開き、ここから、大量の空気が流入することにより、換気風量を増やすことができる。
【００２１】
次にクロスフローファン１２の動作についてさらに説明する。
【００２２】
図４は、クロスフローファン１２の動作と流れの模式図である。翼１２ａがＡ部にあるとき、塵埃が図のように翼１２ａの外周端（ここでは前縁になる）に付着した場合、クロスフローファン１２が約半回転して、翼１２ａがＢ部にくると翼に対する流れ方向が逆に成り、翼１２ａの塵埃が付着した外周端は、今度は翼１２ａの後縁に変わり、矢印で示す流れにより、塵埃が剥がれやすくなる。
【００２３】
以上のように、クロスフローファン１２の場合、塵埃が付着しにくく、長期に渡って安定した吸引力を確保することが出来る。
【産業上の利用可能性】
【００２４】
以上のように、本発明に係る空気調和機は、クロスフローファンの持つセルフクリーニング機能により、吸引排気装置のファン翼への塵埃の堆積がなく、長期に渡って安定した吸引力が得られるもので、空気調和機に限らず、送風機とフィルタを有する各種装置に広く適用できる。
【図面の簡単な説明】
【００２５】
【図１】本発明の実施の形態１における空気調和機の室内機の断面図
【図２】同空気調和機に取り付けられたフィルタの全体斜視図
【図３】同空気調和機に搭載された吸引排気装置の内部構成を示す斜視図
【図４】同吸引排気装置のクロスフローファンの回転による空気の流れ説明図
【図５】従来の空気調和機の吸引排気装置の概略断面図
【符号の説明】
【００２６】
１  室内機
２  熱交換器
３  本体送風ファン
４  フィルタ
５  吸い込みノズル（塵埃除去手段）
６  吸引排気装置
７  吸い込みダクト
８  排気ダクト
９  ファンケーシング部（ケーシング）
１０  吸い込みケーシング部（ケーシング）
１１  モータ
１２  クロスフローファン
１５  吹き出し口
１７  開口部
１８  吸い込み口
１９  連絡口
【図１】
2007101107.tif 000003
【図２】
2007101107.tif 000004
【図３】
2007101107.tif 000005
【図４】
2007101107.tif 000006
【図５】
2007101107.tif 000007